(57)【要約】  端子を備えた厚みを有する長方形の表示器（４）と、この表示器（４）を組付けるホルダ（９）からなり、ホルダ（９）は載置された表示器（４）を厚み方向に付勢するように底面板に形成された厚み方向付勢手段としての弾性片（９１）と、表示器（４）を端子側に付勢するように上面板に形成された下方向付勢手段としての弾性片（９２）と、表示器（４）を左右から付勢するように左右側面板に形成された左右方向付勢手段としての弾性片（９３）と、表示器（４）の表面を押さえるように後面板及び左右側面板に形成された表面押さえ手段としての弾性係合爪（９４、９５）とを備えた。
2010113235.tif 000002
【特許請求の範囲】
【請求項１】
端子を備えた表示器と、前記表示器を組付けるホルダとを備え、前記表示器は厚みを有する長方形をなし、前記ホルダは載置された前記表示器を厚み方向に付勢するように底面板に形成された厚み方向付勢手段と、前記表示器を端子側に付勢するように後面板に形成された一方向付勢手段と、前記表示器を左右から付勢するように左右側面板に形成された左右方向付勢手段と、前記表示器の表面を押さえるように前記後面板及び前記左右側面板に形成された表面押さえ手段とを備えたことを特徴とする表示器固定構造。
【請求項２】
左右方向付勢手段は、表示器に当接する弾性片部と、外部部品と当接するように前記弾性片部の外面に形成された突起部とを有することを特徴とする請求項１記載の表示器固定構造。
【請求項３】
表面押さえ手段は、表示器の表面を押圧する弾性係合爪と、外部部品と当接するように前記弾性係合爪の外面に形成された突起部とを有することを特徴とする請求項１記載の表示器固定構造。
【発明の詳細な説明】
【技術分野】
【０００１】
この発明は、電気機器において、端子を備えた表示器、例えば真空蛍光管等の質量の重い表示器を固定する表示器固定構造に関する。
【背景技術】
【０００２】
従来、自動車等の移動体に搭載される電気機器においては、表示器をホルダにより、表示器の厚み方向と上下方向の二方向のみで固定していた。この固定構造では、質量の軽い端子を備えた表示器では振動や衝撃に耐えることはできるが、例えば、真空蛍光管等の質量の重い端子を備えた表示器では、振動や衝撃に起因して位置ずれが生じ、端子折れが起こった。【０００３】
また、例えば、特許文献１には、ＬＣＤを載置する箱型状のＬＣＤホルダの上面の四隅にＬＣＤを位置決めする位置決めリブを設けるとともに、ＬＣＤホルダの片側側面から延在してＬＣＤを対向する片側方向に付勢して固定する付勢部を設けた、ＬＣＤホルダ及びそれを使用した電子機器が開示されている。
【先行技術文献】
【特許文献】
【０００４】
【特許文献１】特開２０００−００４０８７号公報
【発明の概要】
【０００５】
しかし、特許文献１に開示された構造では、ＬＣＤの大きな位置ずれは防止できるが、質量の重い端子を備えた表示器を固定するときは、振動や衝撃に起因して位置ずれすること、この位置ずれにより端子折れが起ることを抑制することはできないという課題がある。
【０００６】
この発明は上記のような課題を解消するためになされたもので、表示器に三方向から力を付与してホルダに確実に固定し、振動や衝撃に起因する表示器の位置ずれを抑制して端子折れを抑制し、組立性に優れた表示器固定構造を実現することを目的とする。
【０００７】
この発明に係る表示器固定構造は、端子を備えた表示器と、この表示器を組付けるホルダとを備え、表示器は厚みを有する長方形をなし、ホルダは載置された表示器を厚み方向に付勢するように底面板に形成された厚み方向付勢手段と、前記表示器を端子側に付勢するように後面板に形成された一方向付勢手段と、前記表示器を左右から付勢するように左右側面板に形成された左右方向付勢手段と、前記表示器の表面を押さえるように前記後面板及び前記左右側面板に形成された表面押さえ手段とを備えたものである。
【０００８】
この発明によれば、ホルダに載置した表示器を、厚み方向、上下方向、左右方向の三方向から弾性を有する付勢手段で付勢し、かつ、厚み方向の付勢に抗して表示器表面を押さえるように構成したので、ホルダに対し質量の重い端子を備えた表示器を確実に固定できる。そして、振動や衝撃を受けても表示器の動きを抑制することができ、表示器の位置ずれによる端子折れの発生を防止することができる。また、弾性を有する付勢手段で付勢するので、寸法や組付けのバラツキを吸収できる等の効果がある。
【図面の簡単な説明】
【０００９】
【図１】この発明の表示器固定構造を適用する電子機器の概要図である。
【図２】電子機器の分解斜視図である。
【図３】組付け前の表示器とホルダとの関係を示す斜視図である。
【図４】表示器をホルダを介して基板に組付けた状態を示す斜視図である。
【図５】基板を筺体に組付けた状態を示す斜視図である。
【図６】図４のＡ−Ａ線に沿う拡大断面図である。
【図７】図５のＢ−Ｂ線に沿う拡大断面図である。
【図８】図４のＣ−Ｃ線に沿う拡大断面図である。
【発明を実施するための形態】
【００１０】
以下、この発明をより詳細に説明する為に、この発明を実施する為の形態について、添付の図面に従って説明する。
実施の形態１．
以下、この発明の表示器固定構造を図面について説明する。先ず、図１、図２に基づいて、この発明の表示器固定構造を適用する電子機器の概要について説明する。この電子機器１は、箱形中空の筺体２と、この筺体２の内部に組付ける基板３と、この基板３にホルダ９を介して組付けた表示器４と、この表示器４に対向して配置するフィルタ５をフード６とともに取付け、筺体２に組付けるパネル７と、これ等を全て組付けた後、筺体２の開口部を覆うカバー８とを有する。なお、以下の説明における上下面板、前後面板、左右側面板の表現は電子機器１を使用位置に設置した状態を基準にしたものである。
【００１１】
筺体２は、内部に設けた基板受け兼ねじ固定部２１と、筺体２の両側面板の一部を内方に切り起こして基板受け兼ねじ固定部２１と同じ高さ位置に形成された第１の基板受け部２２と、基板３を挟み込むように筺体２の両側面板の他の一部を内方に切り起こして形成された基板挟み込み部２３ａ，２３ｂ（片側は図示せず）と、第１の基板受け部２２の一部を基板載置側に略直角に折り返して形成された基板組付けガイド部２４と、ねじ固定しない基板縁部に形成された凸部３１が係合するように筺体２の後面板上端縁に略直角に折り曲げ形成された口形係合部２５および該口形係合部２５の両側から筺体内方に向かって水平に延びて基板受け兼ねじ固定部２１及び各基板受け部２２と略同一高さ位置に形成された第２の基板受け部２６とを備えたものである。
【００１２】
また、筺体２は、両側面板のカバー取付開口端の一部を内方に折り曲げて形成したＬ字状の引っ掛け部２７と、この引っ掛け部２７の近傍において、前記筺体２の開口端側を内方にカバー８の厚み分だけ窪ませた組付けガイド部２８と、後面板の上部にねじ穴１０１と係合穴１０２とを形成している。
【００１３】
表示器４は厚みを有する長方形をなしている。この表示器４を組付け保持するホルダ９は樹脂製素材により作られており、載置された表示器４を厚み方向に付勢するように底面に切り起こし形成された厚み方向付勢手段として弾性片９１、表示器４を端子側に付勢するように上面板の一部を内方に切り起こして形成された下方向付勢手段としての弾性片９２、表示器４を左右から挟持するように左右側面板の一部を内方に切り起こし形成された挟持手段としての弾性片９３、表示器４の表面を押さえるように上面板及び左右側面板に形成された表面押さえ手段としての弾性係合爪９４及び９５を備えている。
【００１４】
また、ホルダ９の後面板及び左右側面板には、ホルダ９を基板３に組付け固定するための弾性係合爪９６及び９７が厚み方向に延在して形成されている。また、底面には基板３の穴に係合する係合爪が形成されているが図２では図示を省略する。
【００１５】
パネル７は、周囲に筺体２に対する組付け用の壁面７０を備え、この壁面７０を形成する上面板より所定距離離れて内部に形成された表示窓７１、この表示窓７１の周縁に枠状に形成されたフィルタ取付部７２、このフィルタ取付部７２の下縁部に添って形成された複数の操作釦７３ａ〜７３ｎを収納する操作釦収納部７３、この操作釦収納部７３と壁面７０の下面板との間に位置して形成された小物入れ７４を有する。組付け用の壁面７０を形成する上下面板及び左右側面板には、筺体２に形成された係合爪と係合する口形係合部７０ａが形成されている。
【００１６】
フード６は、樹脂製素材により枠状に形成されており、フィルタ取付部７２の上面板外面に組付ける上枠面板には、覆い部６１及び係合孔６２を有する。また、フード６の下枠面板には、操作釦の底面に当接するように一定間隔ごとに突出して形成された弾性押圧部６３と係合凹部８０（図示せず）に係合する係合凸部（図示せず）を有する。
【００１７】
フィルタ５は、フィルタ取付部７２に沿うように曲面に形成され、その上端縁にはパネル７の口形係合部（図２では省略）に係合するように一定間隔に形成されたテーパを有する引っ掛け弾性係合爪５１と、フィルタ取付部７２に形成された凸部（図２では省略）が係合する位置に凹部５４が形成され、下端縁には操作釦収納部７３の外面に形成された弾性係合爪７５及び位置決め凹部７６に係合するように形成された係合爪５２及び位置決め凸部５３を有する。
【００１８】
カバー８は、筺体２のＬ字状の引っ掛け部２７に係合する引っ掛け爪８１と、組付けガイド部２８に係合するガイド片８２とが両側面板上端縁から組付け方向に延在して形成されているとともに、筺体２の後面板外面に重ね合わせる直角折り曲げ片８３に該筺体のねじ穴１０１に対向するねじ通し穴（図２では省略）及び前記係合穴１０２に係合する係合爪８５を有する。この係合爪８５には係合穴１０２に対する係合がしやすいようにテーパ８５ａを設けておくと良い。また、係合穴１０２の四隅は円弧状とし、この円弧部分１０２ａ（図５参照）で係合爪８５を常に接触させる。
【００１９】
引っ掛け部２７と引っ掛け爪８１との係合面には、筺体２とカバー８が互いに押圧力を付与するようにテーパ（図２では省略）が形成され、このテーパの終端部は円弧状（図２では省略）に形成されている。また、カバー８は２つの穴８６ａ、８６ｂを並べて形成した係合穴部８６と、切起こし穴８７の縁の１辺を下方に延長した係合片８７ａとを備えている。
【００２０】
一方、このカバー８に組付けるケース１０には、カバー８の係合穴部８６に係合する位置決めを兼ねた略コ字状の弾性係合爪１１と、カバー８の切起こし穴８７に通し常に係合片８７ａの下端に係合するように下方に伸びた弾性係合爪１２とがケース１０の対向する開口端縁に形成されている。
【００２１】
以下、各部品の組付けについて説明する。表示器４をホルダ９に組付けるには、ホルダ９にその上面から表示器４を押し付けると、表示器４は弾性片９２、弾性片９３、弾性係合爪９４及び９５を外側に押し広げながら進み、弾性片９１を押し下げながらさらに進む。そして、表示器４が通り過ぎると、弾性片９２は表示器４を端子側に付勢し、弾性片９３は表示器４を左右から挟持し、弾性係合爪９４及び９５は弾性片９１の付勢力で押し上げられる表示器４の表面を押圧保持することで、ホルダ９に対する表示器４の組付けが完了する。この組付け完了後（表示器の組付け前であってもよい。）、弾性係合爪９６及び９７、図示を省略した係合爪によって、ホルダ９を図２に示すように基板３に組付ける。
【００２２】
次いで、表示器４を組付けた基板３を、筺体２の両側面板に形成された第１の基板受け部２２に乗せて組付け方向へ移動させて両側縁を基板挟み込み部２３ａ，２３ｂで挟持させ、その移動終端位置において基板３の移動前端部が第２の基板受け部２６に乗り、ねじ固定しない基板端縁に形成された凸部３１が口形係合部２５に進入する。この状態において、基板３の後端側を基板受け兼ねじ固定部２１に載せてねじ固定する。
【００２３】
一方、筺体２の上面開口にカバー８を組付けるには、カバー８のガイド片８２を筺体２の組付けガイド部２８に沿って移動させて、カバー８を筺体２の開口端面に当接させることにより、カバー８が筺体側に引き込まれすぎて下に下がらないようにしている。
【００２４】
次いで、カバー８を開口端面に当接させた状態で直角折り曲げ片８３が筺体２の後面板外面に当接するまで移動させて、引っ掛け部２７と引っ掛け爪８１とを係合させ、それらが噛合うようにして、左右上下の位置を合わせる。この場合、引っ掛け部２７，引っ掛け爪８１は、入口は大きく、根元は狭くなるようにテーパが形成されているので、組み合わせが容易であるとともに、組み合わせた状態では強固に固定することができる。また、引っ掛け部２７，引っ掛け爪８１の根元に円弧部を設けることにより、両引っ掛け部２７，引っ掛け爪８１を常に接触させることでテンションをかけた状態とすることができる。
【００２５】
また、カバー８の直角折り曲げ片８３を筺体２の後面板外面に当接させて重ね合わせると、直角折り曲げ片８３に形成した係合爪８５が筺体２の後面板の係合穴１０２に係合し、カバー８が筺体２に対して位置決め保持される。そこで、この状態を保って、直角折り曲げ片８３のねじ通し穴に通したねじ（図２では省略）を筺体２のねじ穴１０１にねじ込んでねじ固定する。この場合、係合爪８５は、テーパを有し、係合穴１０２の四隅は、円弧状に形成されているので、係合爪８５は係合穴１０２に挿入し易く、係合爪８５は係合穴１０２の円弧状の隅に常に接触して、カバー８と係合爪８５とで筺体２の後板を挟み込むことにより、常時テンションを付加した状態とすることができる。
【００２６】
一方、フィルタ５をパネル７に取り付けるには、まず、フィルタ５の引っ掛け係合爪５１をパネル７の口形係合部（図示せず）に係合させて、下端側をパネル側に押し付けると、この過程で弾性係合爪５２がパネル側の係合爪７５に係合するとともに、位置決め凸部５３がパネル側の位置決め凹部７６に係合して、フィルタ５はパネル７に組付けられる。
【００２７】
このフィルタ組付け後、フィルタ周辺を覆うようにして、フード６の周辺をパネル側のＬ字形の引き込み位置決め部（図示せず）に嵌め合わせ、係合孔６２にパネル側の係合爪（図示せず）を係合させる。この組付けにより、覆い部６１はパネル側の口形係合部（図示せず）を覆い、弾性押圧部６３は操作釦７３ａ〜７３ｎの底面に当接して該操作釦に対し復元力を付与する。
【００２８】
このようにフィルタ５、フード６を組付けたパネル７の壁面７０を、上記のように基板３を組付けた後の筺体２の前面開口部に嵌め合わせ、壁面７０に形成された口形係合部７０ａに筺体２に形成された切り起こし係合爪２９及びカバー８の切り起こし係合爪８８を係合させて電子機器１の組付けを完了する。
【００２９】
また、上記の組付け前または完了後において、カバー８にケース１０を組付け固定する。この場合、ケース１０の略コ字状の弾性係合爪１１をカバー８の上面の穴８６ａから挿入し、この状態からケース１０をカバー８側に回動させて、弾性係合爪１１の先端部を穴８６ａ，８６ｂ間の仕切り部８６ｃの下面から穴８６ｂに挿入させて、左右方向の位置決めを行った後、係合爪１２を切起こし穴８７に挿入して係合片８７ａに係合させることにより、ケース１０をカバー８にねじを用いることなく強固に組付けることができる。
【００３０】
この発明は、このような構成の電子機器において、複数の端子を備えた表示器、例えば真空蛍光管等の質量の重い表示器を、ホルダに組立性が良好で確実に組付けできるように工夫したものであり、図３は組付け前の表示器とホルダとの関係を示す斜視図、図４は表示器をホルダを介して基板に組付けた状態を示す斜視図、図５は基板を筺体に組付けた状態の斜視図、図６は図４のＡ−Ａ線に沿う拡大断面図、図７は図５のＢ−Ｂ線に沿う拡大断面図、図８は図４のＣ−Ｃ線に沿う拡大断面である。
【００３１】
この発明に係る表示器固定構造における表示器４は、厚みを有する長方形をなしている。この表示器４を保持するホルダ９は樹脂製素材により作られており、載置された表示器４を厚み方向に付勢するように底面板に切り起こし形成された厚み方向付勢手段として弾性片９１、表示器４を端子側に付勢するように上面板に内方に向かって切り起こし形成された下方向付勢手段としての弾性片９２、表示器４を左右から付勢するように左右側面板に内方に向かって切り起こし形成された左右方向付勢手段としての弾性片９３、表示器４の表面を押さえるように後面板及び左右側面板に形成された表面押さえ手段としての弾性係合爪９４及び９５を備えている。
【００３２】
そして、弾性片９２は図６に示す図４のＡ−Ａ線に沿う拡大断面図から明らかなように、上面板に内方に向かって切り起こし形成されている。弾性片９３は図７に示す図５のＢ−Ｂ線に沿う拡大断面図から明らかなように、表示器４に当接する弾性片部９３ａと該弾性片部から延在して外側に折り返した折り返し片９３ｂによってＵ状に形成されている。また、弾性係合爪９４及び９５は図８に示す図４のＣ−Ｃ線に沿う拡大断面図から明らかなように、表示器４の表面を押さえる弾性係合爪９４及び９５の先端部から上向き斜面９４ａ及び９５ａに形成され、その一方の弾性係合爪９４の外面には突起部９４ｂが形成されている。
【００３３】
ホルダ９の後面板及び左右側面板には、ホルダ９を基板３上に組付け固定するための弾性係合爪９６及び９７が厚み方向に延在して形成されている。また、後面板外面には基板３の穴に係合し該基板に取り付けるための係合爪が形成されているが図示を省略する。
【００３４】
上記の構成であるから、ホルダ９にその上面から表示器４を押し付けると、表示器４は弾性片９２、弾性片９３、弾性係合爪９４及び９５を外側に押し広げながら進み、弾性片９１を押し下げながらさらに進む。そして、表示器４が通り過ぎると、弾性片９２は表示器４を端子側に付勢し、弾性片９３は表示器４を左右から付勢し、弾性係合爪９４及び９５は弾性片９１の付勢力で押し上げられる表示器４の表面を押圧保持することで、ホルダ９に対する表示器４の組付けが完了する。
【００３５】
この完了後（表示器の組付け前であってもよい。）、弾性係合爪９６及び９７、図示を省略した係合爪によって、ホルダ９を図２、図４に示すように基板３に組付ける。
【００３６】
上記のように、基板３、表示器４、ホルダ９を一体に組付けた後、この組付け体を筺体２に組付けると、図７に示すように、筺体２の左右側面板に形成された内方への突起部２ａが弾性片９３の折り返し片９３ｂを押すため、弾性片部９３ａがより強く表示器４を左右から保持するようになる。また、筺体２にカバー８を組付けると、図８に示すように、弾性係合爪９４の背面に形成された突起部９４ｂにカバー８に形成された内方への突起部８ａが当接するため、弾性係合爪９４は内方に押圧されて表示器４をホルダ９の底面側に強く押付ける。この結果、ホルダ９に対しより強固に表示器４の組付けを保持することができる。
【００３７】
以上のようにこの発明によれば、ホルダに載置した表示器を、厚み方向は厚み方向付勢手段としての弾性片と表面押さえ手段としての弾性係合爪とで挟持して一定位置に保持し、下方向は一方向付勢手段としての弾性片で表示器を端子側に押し当て、左右方向は左右方向付勢手段としての弾性片で表示器を両側から押さえ付けるように、表示器を三方向から付勢するように構成したので、ホルダに対し端子を備えた質量の重い表示器を確実に固定できる。そして、振動や衝撃を受けても表示器の動きを抑制することができ、表示器の位置ずれによる端子折れの発生を防止することができるという効果がある。
【００３８】
また、表面押さえ手段としての弾性係合爪及び左右方向付勢手段としての弾性片の外面に突起を設け、表示器を保持したホルダを筺体内に取り付けたとき、筺体内面または他の外部部品が突起に当接して、弾性係合爪及び弾性片を内方に押圧するように構成したので、これ等弾性係合爪及び弾性片による表示器の保持をより強固にすることができる。
【産業上の利用可能性】
【００３９】
この発明に係る表示器固定構造は、ホルダに対し質量の重い端子を備えた表示器を確実に固定できる等の効果を有するため、真空蛍光管等の質量の重い表示器等に用いるのに適している。
【図１】
2010113235.tif 000003
【図２】
2010113235.tif 000004
【図３】
2010113235.tif 000005
【図４】
2010113235.tif 000006
【図５】
2010113235.tif 000007
【図６】
2010113235.tif 000008
【図７】
2010113235.tif 000009
【図８】
2010113235.tif 000010
【手続補正書】
【提出日】平成23年12月1日(2011.12.1)
【手続補正１】
【補正対象書類名】明細書
【補正対象項目名】全文
【補正方法】変更
【補正の内容】
【発明の詳細な説明】
【技術分野】
【０００１】
この発明は、電気機器において、端子を備えた表示器、例えば真空蛍光管等の質量の重い表示器を固定する表示器固定構造に関する。
【背景技術】
【０００２】
従来、自動車等の移動体に搭載される電気機器においては、表示器をホルダにより、表示器の厚み方向と上下方向の二方向のみで固定していた。この固定構造では、質量の軽い端子を備えた表示器では振動や衝撃に耐えることはできるが、例えば、真空蛍光管等の質量の重い端子を備えた表示器では、振動や衝撃に起因して位置ずれが生じ、端子折れが起こった。
【０００３】
また、例えば、特許文献１には、ＬＣＤを載置する箱型状のＬＣＤホルダの上面の四隅にＬＣＤを位置決めする位置決めリブを設けるとともに、ＬＣＤホルダの片側側面から延在してＬＣＤを対向する片側方向に付勢して固定する付勢部を設けた、ＬＣＤホルダ及びそれを使用した電子機器が開示されている。
【先行技術文献】
【特許文献】
【０００４】
【特許文献１】特開２０００−００４０８７号公報
【発明の概要】
【発明が解決しようとする課題】
【０００５】
しかし、特許文献１に開示された構造では、ＬＣＤの大きな位置ずれは防止できるが、質量の重い端子を備えた表示器を固定するときは、振動や衝撃に起因して位置ずれすること、この位置ずれにより端子折れが起ることを抑制することはできないという課題がある。
【０００６】
この発明は上記のような課題を解消するためになされたもので、表示器に三方向から力を付与してホルダに確実に固定し、振動や衝撃に起因する表示器の位置ずれを抑制して端子折れを抑制し、組立性に優れた表示器固定構造を実現することを目的とする。
【課題を解決するための手段】
【０００７】
この発明に係る表示器固定構造は、端子を備えた表示器と、この表示器を組付けるホルダと、表示器は厚みを有する長方形をなし、ホルダは載置された表示器を厚み方向に付勢するように底面板に形成された厚み方向付勢手段と、表示器を端子側に付勢するように後面板に形成された一方向付勢手段と、表示器を左右から付勢するように左右側面板に形成された左右方向付勢手段と、表示器の表面を押さえるように後面板及び左右側面板に形成された表面押さえ手段とを備え、左右方向付勢手段が、表示器に当接する弾性片部と、外部部品と当接するように弾性片部から延在して折り返した折り返し片とを有するものである。または、表面押さえ手段が、表示器の表面を押圧する弾性係合爪と、当該弾性係合爪の押圧方向と直交する方向で外部部品と当接するように弾性係合爪の外面に形成された突起部とを有するものである。
【発明の効果】
【０００８】
この発明によれば、ホルダに載置した表示器を、厚み方向、上下方向、左右方向の三方向から弾性を有する付勢手段で付勢し、かつ、厚み方向の付勢に抗して表示器表面を押さえ、さらに上記のように構成したので、ホルダに対し質量の重い端子を備えた表示器を確実に固定できる。そして、振動や衝撃を受けても表示器の動きを抑制することができ、表示器の位置ずれによる端子折れの発生を防止することができる。また、弾性を有する付勢手段で表示器を付勢するので、寸法や組付けのバラツキを吸収できる等の効果がある。
【図面の簡単な説明】
【０００９】
【図１】この発明の表示器固定構造を適用する電子機器の概要図である。
【図２】電子機器の分解斜視図である。
【図３】組付け前の表示器とホルダとの関係を示す斜視図である。
【図４】表示器をホルダを介して基板に組付けた状態を示す斜視図である。
【図５】基板を筺体に組付けた状態を示す斜視図である。
【図６】図４のＡ−Ａ線に沿う拡大断面図である。
【図７】図５のＢ−Ｂ線に沿う拡大断面図である。
【図８】図４のＣ−Ｃ線に沿う拡大断面図である。
【発明を実施するための形態】
【００１０】
以下、この発明をより詳細に説明する為に、この発明を実施する為の形態について、添付の図面に従って説明する。
実施の形態１．
以下、この発明の表示器固定構造を図面について説明する。先ず、図１、図２に基づいて、この発明の表示器固定構造を適用する電子機器の概要について説明する。この電子機器１は、箱形中空の筺体２と、この筺体２の内部に組付ける基板３と、この基板３にホルダ９を介して組付けた表示器４と、この表示器４に対向して配置するフィルタ５をフード６とともに取付け、筺体２に組付けるパネル７と、これ等を全て組付けた後、筺体２の開口部を覆うカバー８とを有する。なお、以下の説明における上下面板、前後面板、左右側面板の表現は電子機器１を使用位置に設置した状態を基準にしたものである。
【００１１】
筺体２は、内部に設けた基板受け兼ねじ固定部２１と、筺体２の両側面板の一部を内方に切り起こして基板受け兼ねじ固定部２１と同じ高さ位置に形成された第１の基板受け部２２と、基板３を挟み込むように筺体２の両側面板の他の一部を内方に切り起こして形成された基板挟み込み部２３ａ，２３ｂ（片側は図示せず）と、第１の基板受け部２２の一部を基板載置側に略直角に折り返して形成された基板組付けガイド部２４と、ねじ固定しない基板縁部に形成された凸部３１が係合するように筺体２の後面板上端縁に略直角に折り曲げ形成された口形係合部２５および該口形係合部２５の両側から筺体内方に向かって水平に延びて基板受け兼ねじ固定部２１及び各基板受け部２２と略同一高さ位置に形成された第２の基板受け部２６とを備えたものである。
【００１２】
また、筺体２は、両側面板のカバー取付開口端の一部を内方に折り曲げて形成したＬ字状の引っ掛け部２７と、この引っ掛け部２７の近傍において、前記筺体２の開口端側を内方にカバー８の厚み分だけ窪ませた組付けガイド部２８と、後面板の上部にねじ穴１０１と係合穴１０２とを形成している。
【００１３】
表示器４は厚みを有する長方形をなしている。この表示器４を組付け保持するホルダ９は樹脂製素材により作られており、載置された表示器４を厚み方向に付勢するように底面に切り起こし形成された厚み方向付勢手段として弾性片９１、表示器４を端子側に付勢するように上面板の一部を内方に切り起こして形成された下方向付勢手段としての弾性片９２、表示器４を左右から挟持するように左右側面板の一部を内方に切り起こし形成された挟持手段としての弾性片９３、表示器４の表面を押さえるように上面板及び左右側面板に形成された表面押さえ手段としての弾性係合爪９４及び９５を備えている。
【００１４】
また、ホルダ９の後面板及び左右側面板には、ホルダ９を基板３に組付け固定するための弾性係合爪９６及び９７が厚み方向に延在して形成されている。また、底面には基板３の穴に係合する係合爪が形成されているが図２では図示を省略する。
【００１５】
パネル７は、周囲に筺体２に対する組付け用の壁面７０を備え、この壁面７０を形成する上面板より所定距離離れて内部に形成された表示窓７１、この表示窓７１の周縁に枠状に形成されたフィルタ取付部７２、このフィルタ取付部７２の下縁部に添って形成された複数の操作釦７３ａ〜７３ｎを収納する操作釦収納部７３、この操作釦収納部７３と壁面７０の下面板との間に位置して形成された小物入れ７４を有する。組付け用の壁面７０を形成する上下面板及び左右側面板には、筺体２に形成された係合爪と係合する口形係合部７０ａが形成されている。
【００１６】
フード６は、樹脂製素材により枠状に形成されており、フィルタ取付部７２の上面板外面に組付ける上枠面板には、覆い部６１及び係合孔６２を有する。また、フード６の下枠面板には、操作釦の底面に当接するように一定間隔ごとに突出して形成された弾性押圧部６３と係合凹部８０（図示せず）に係合する係合凸部（図示せず）を有する。
【００１７】
フィルタ５は、フィルタ取付部７２に沿うように曲面に形成され、その上端縁にはパネル７の口形係合部（図２では省略）に係合するように一定間隔に形成されたテーパを有する引っ掛け弾性係合爪５１と、フィルタ取付部７２に形成された凸部（図２では省略）が係合する位置に凹部５４が形成され、下端縁には操作釦収納部７３の外面に形成された弾性係合爪７５及び位置決め凹部７６に係合するように形成された係合爪５２及び位置決め凸部５３を有する。
【００１８】
カバー８は、筺体２のＬ字状の引っ掛け部２７に係合する引っ掛け爪８１と、組付けガイド部２８に係合するガイド片８２とが両側面板上端縁から組付け方向に延在して形成されているとともに、筺体２の後面板外面に重ね合わせる直角折り曲げ片８３に該筺体のねじ穴１０１に対向するねじ通し穴（図２では省略）及び前記係合穴１０２に係合する係合爪８５を有する。この係合爪８５には係合穴１０２に対する係合がしやすいようにテーパ８５ａを設けておくと良い。また、係合穴１０２の四隅は円弧状とし、この円弧部分１０２ａ（図５参照）で係合爪８５を常に接触させる。
【００１９】
引っ掛け部２７と引っ掛け爪８１との係合面には、筺体２とカバー８が互いに押圧力を付与するようにテーパ（図２では省略）が形成され、このテーパの終端部は円弧状（図２では省略）に形成されている。また、カバー８は２つの穴８６ａ、８６ｂを並べて形成した係合穴部８６と、切起こし穴８７の縁の１辺を下方に延長した係合片８７ａとを備えている。
【００２０】
一方、このカバー８に組付けるケース１０には、カバー８の係合穴部８６に係合する位置決めを兼ねた略コ字状の弾性係合爪１１と、カバー８の切起こし穴８７に通し常に係合片８７ａの下端に係合するように下方に伸びた弾性係合爪１２とがケース１０の対向する開口端縁に形成されている。
【００２１】
以下、各部品の組付けについて説明する。表示器４をホルダ９に組付けるには、ホルダ９にその上面から表示器４を押し付けると、表示器４は弾性片９２、弾性片９３、弾性係合爪９４及び９５を外側に押し広げながら進み、弾性片９１を押し下げながらさらに進む。そして、表示器４が通り過ぎると、弾性片９２は表示器４を端子側に付勢し、弾性片９３は表示器４を左右から挟持し、弾性係合爪９４及び９５は弾性片９１の付勢力で押し上げられる表示器４の表面を押圧保持することで、ホルダ９に対する表示器４の組付けが完了する。この組付け完了後（表示器の組付け前であってもよい。）、弾性係合爪９６及び９７、図示を省略した係合爪によって、ホルダ９を図２に示すように基板３に組付ける。
【００２２】
次いで、表示器４を組付けた基板３を、筺体２の両側面板に形成された第１の基板受け部２２に乗せて組付け方向へ移動させて両側縁を基板挟み込み部２３ａ，２３ｂで挟持させ、その移動終端位置において基板３の移動前端部が第２の基板受け部２６に乗り、ねじ固定しない基板端縁に形成された凸部３１が口形係合部２５に進入する。この状態において、基板３の後端側を基板受け兼ねじ固定部２１に載せてねじ固定する。
【００２３】
一方、筺体２の上面開口にカバー８を組付けるには、カバー８のガイド片８２を筺体２の組付けガイド部２８に沿って移動させて、カバー８を筺体２の開口端面に当接させることにより、カバー８が筺体側に引き込まれすぎて下に下がらないようにしている。
【００２４】
次いで、カバー８を開口端面に当接させた状態で直角折り曲げ片８３が筺体２の後面板外面に当接するまで移動させて、引っ掛け部２７と引っ掛け爪８１とを係合させ、それらが噛合うようにして、左右上下の位置を合わせる。この場合、引っ掛け部２７，引っ掛け爪８１は、入口は大きく、根元は狭くなるようにテーパが形成されているので、組み合わせが容易であるとともに、組み合わせた状態では強固に固定することができる。また、引っ掛け部２７，引っ掛け爪８１の根元に円弧部を設けることにより、両引っ掛け部２７，引っ掛け爪８１を常に接触させることでテンションをかけた状態とすることができる。
【００２５】
また、カバー８の直角折り曲げ片８３を筺体２の後面板外面に当接させて重ね合わせると、直角折り曲げ片８３に形成した係合爪８５が筺体２の後面板の係合穴１０２に係合し、カバー８が筺体２に対して位置決め保持される。そこで、この状態を保って、直角折り曲げ片８３のねじ通し穴に通したねじ（図２では省略）を筺体２のねじ穴１０１にねじ込んでねじ固定する。この場合、係合爪８５は、テーパを有し、係合穴１０２の四隅は、円弧状に形成されているので、係合爪８５は係合穴１０２に挿入し易く、係合爪８５は係合穴１０２の円弧状の隅に常に接触して、カバー８と係合爪８５とで筺体２の後板を挟み込むことにより、常時テンションを付加した状態とすることができる。
【００２６】
一方、フィルタ５をパネル７に取り付けるには、まず、フィルタ５の引っ掛け係合爪５１をパネル７の口形係合部（図示せず）に係合させて、下端側をパネル側に押し付けると、この過程で弾性係合爪５２がパネル側の係合爪７５に係合するとともに、位置決め凸部５３がパネル側の位置決め凹部７６に係合して、フィルタ５はパネル７に組付けられる。
【００２７】
このフィルタ組付け後、フィルタ周辺を覆うようにして、フード６の周辺をパネル側のＬ字形の引き込み位置決め部（図示せず）に嵌め合わせ、係合孔６２にパネル側の係合爪（図示せず）を係合させる。この組付けにより、覆い部６１はパネル側の口形係合部（図示せず）を覆い、弾性押圧部６３は操作釦７３ａ〜７３ｎの底面に当接して該操作釦に対し復元力を付与する。
【００２８】
このようにフィルタ５、フード６を組付けたパネル７の壁面７０を、上記のように基板３を組付けた後の筺体２の前面開口部に嵌め合わせ、壁面７０に形成された口形係合部７０ａに筺体２に形成された切り起こし係合爪２９及びカバー８の切り起こし係合爪８８を係合させて電子機器１の組付けを完了する。
【００２９】
また、上記の組付け前または完了後において、カバー８にケース１０を組付け固定する。この場合、ケース１０の略コ字状の弾性係合爪１１をカバー８の上面の穴８６ａから挿入し、この状態からケース１０をカバー８側に回動させて、弾性係合爪１１の先端部を穴８６ａ，８６ｂ間の仕切り部８６ｃの下面から穴８６ｂに挿入させて、左右方向の位置決めを行った後、係合爪１２を切起こし穴８７に挿入して係合片８７ａに係合させることにより、ケース１０をカバー８にねじを用いることなく強固に組付けることができる。
【００３０】
この発明は、このような構成の電子機器において、複数の端子を備えた表示器、例えば真空蛍光管等の質量の重い表示器を、ホルダに組立性が良好で確実に組付けできるように工夫したものであり、図３は組付け前の表示器とホルダとの関係を示す斜視図、図４は表示器をホルダを介して基板に組付けた状態を示す斜視図、図５は基板を筺体に組付けた状態の斜視図、図６は図４のＡ−Ａ線に沿う拡大断面図、図７は図５のＢ−Ｂ線に沿う拡大断面図、図８は図４のＣ−Ｃ線に沿う拡大断面である。
【００３１】
この発明に係る表示器固定構造における表示器４は、厚みを有する長方形をなしている。この表示器４を保持するホルダ９は樹脂製素材により作られており、載置された表示器４を厚み方向に付勢するように底面板に切り起こし形成された厚み方向付勢手段として弾性片９１、表示器４を端子側に付勢するように上面板に内方に向かって切り起こし形成された下方向付勢手段としての弾性片９２、表示器４を左右から付勢するように左右側面板に内方に向かって切り起こし形成された左右方向付勢手段としての弾性片９３、表示器４の表面を押さえるように後面板及び左右側面板に形成された表面押さえ手段としての弾性係合爪９４及び９５を備えている。
【００３２】
そして、弾性片９２は図６に示す図４のＡ−Ａ線に沿う拡大断面図から明らかなように、上面板に内方に向かって切り起こし形成されている。弾性片９３は図７に示す図５のＢ−Ｂ線に沿う拡大断面図から明らかなように、表示器４に当接する弾性片部９３ａと該弾性片部から延在して外側に折り返した折り返し片９３ｂによってＵ状に形成されている。また、弾性係合爪９４及び９５は図８に示す図４のＣ−Ｃ線に沿う拡大断面図から明らかなように、表示器４の表面を押さえる弾性係合爪９４及び９５の先端部から上向き斜面９４ａ及び９５ａに形成され、その一方の弾性係合爪９４の外面には突起部９４ｂが形成されている。
【００３３】
ホルダ９の後面板及び左右側面板には、ホルダ９を基板３上に組付け固定するための弾性係合爪９６及び９７が厚み方向に延在して形成されている。また、後面板外面には基板３の穴に係合し該基板に取り付けるための係合爪が形成されているが図示を省略する。
【００３４】
上記の構成であるから、ホルダ９にその上面から表示器４を押し付けると、表示器４は弾性片９２、弾性片９３、弾性係合爪９４及び９５を外側に押し広げながら進み、弾性片９１を押し下げながらさらに進む。そして、表示器４が通り過ぎると、弾性片９２は表示器４を端子側に付勢し、弾性片９３は表示器４を左右から付勢し、弾性係合爪９４及び９５は弾性片９１の付勢力で押し上げられる表示器４の表面を押圧保持することで、ホルダ９に対する表示器４の組付けが完了する。
【００３５】
この完了後（表示器の組付け前であってもよい。）、弾性係合爪９６及び９７、図示を省略した係合爪によって、ホルダ９を図２、図４に示すように基板３に組付ける。
【００３６】
上記のように、基板３、表示器４、ホルダ９を一体に組付けた後、この組付け体を筺体２に組付けると、図７に示すように、筺体２の左右側面板に形成された内方への突起部２ａが弾性片９３の折り返し片９３ｂを押すため、弾性片部９３ａがより強く表示器４を左右から保持するようになる。また、筺体２にカバー８を組付けると、図８に示すように、弾性係合爪９４の背面に形成された突起部９４ｂにカバー８に形成された内方への突起部８ａが当接するため、弾性係合爪９４は内方に押圧されて表示器４をホルダ９の底面側に強く押付ける。この結果、ホルダ９に対しより強固に表示器４の組付けを保持することができる。
【００３７】
以上のようにこの発明によれば、ホルダに載置した表示器を、厚み方向は厚み方向付勢手段としての弾性片と表面押さえ手段としての弾性係合爪とで挟持して一定位置に保持し、下方向は一方向付勢手段としての弾性片で表示器を端子側に押し当て、左右方向は左右方向付勢手段としての弾性片で表示器を両側から押さえ付けるように、表示器を三方向から付勢するように構成したので、ホルダに対し端子を備えた質量の重い表示器を確実に固定できる。そして、振動や衝撃を受けても表示器の動きを抑制することができ、表示器の位置ずれによる端子折れの発生を防止することができるという効果がある。
【００３８】
また、表面押さえ手段としての弾性係合爪及び左右方向付勢手段としての弾性片の外面に突起を設け、表示器を保持したホルダを筺体内に取り付けたとき、筺体内面または他の外部部品が突起に当接して、弾性係合爪及び弾性片を内方に押圧するように構成したので、これ等弾性係合爪及び弾性片による表示器の保持をより強固にすることができる。
【００３９】
この発明に係る表示器固定構造は、ホルダに対し質量の重い端子を備えた表示器を確実に固定できる等の効果を有するため、真空蛍光管等の質量の重い表示器等に用いるのに適している。
【手続補正２】
【補正対象書類名】特許請求の範囲
【補正対象項目名】全文
【補正方法】変更
【補正の内容】
【特許請求の範囲】
【請求項１】
端子を備えた表示器と、前記表示器を組付けるホルダと、前記表示器は厚みを有する長方形をなし、前記ホルダは載置された前記表示器を厚み方向に付勢するように底面板に形成された厚み方向付勢手段と、前記表示器を端子側に付勢するように後面板に形成された一方向付勢手段と、前記表示器を左右から付勢するように左右側面板に形成された左右方向付勢手段と、前記表示器の表面を押さえるように前記後面板及び前記左右側面板に形成された表面押さえ手段とを備え、
前記左右方向付勢手段は、前記表示器に当接する弾性片部と、外部部品と当接するように前記弾性片部から延在して折り返した折り返し片とを有することを特徴とする表示器固定構造。
【請求項２】
端子を備えた表示器と、前記表示器を組付けるホルダと、前記表示器は厚みを有する長方形をなし、前記ホルダは載置された前記表示器を厚み方向に付勢するように底面板に形成された厚み方向付勢手段と、前記表示器を端子側に付勢するように後面板に形成された一方向付勢手段と、前記表示器を左右から付勢するように左右側面板に形成された左右方向付勢手段と、前記表示器の表面を押さえるように前記後面板及び前記左右側面板に形成された表面押さえ手段とを備え、
前記表面押さえ手段は、前記表示器の表面を押圧する弾性係合爪と、当該弾性係合爪の押圧方向と直交する方向で外部部品と当接するように前記弾性係合爪の外面に形成された突起部とを有することを特徴とする表示器固定構造。
【請求項３】
端子を備えた表示器と、前記表示器を組付けるホルダと、前記表示器は厚みを有する長方形をなし、前記ホルダは載置された前記表示器を厚み方向に付勢するように底面板に形成された厚み方向付勢手段と、前記表示器を端子側に付勢するように後面板に形成された一方向付勢手段と、前記表示器を左右から付勢するように左右側面板に形成された左右方向付勢手段と、前記表示器の表面を押さえるように前記後面板及び前記左右側面板に形成された表面押さえ手段とを備え、
前記左右方向付勢手段は、前記表示器に当接する弾性片部と、外部部品と当接するように前記弾性片部から延在して折り返した折り返し片とを有し、
前記表面押さえ手段は、前記表示器の表面を押圧する弾性係合爪と、当該弾性係合爪の押圧方向と直交する方向で外部部品と当接するように前記弾性係合爪の外面に形成された突起部とを有することを特徴とする表示器固定構造。
【手続補正書】
【提出日】平成24年3月1日(2012.3.1)
【手続補正１】
【補正対象書類名】明細書
【補正対象項目名】０００７
【補正方法】変更
【補正の内容】
【０００７】
この発明に係る表示器固定構造は、端子を備えた表示器と、この表示器を組付けるホルダとを備え、表示器は厚みを有する長方形をなし、ホルダは載置された表示器を厚み方向に付勢するように底面板に形成された厚み方向付勢手段と、表示器を端子側に付勢するように後面板に形成された一方向付勢手段と、表示器を左右から付勢するように左右側面板に形成された左右方向付勢手段と、表示器の表面を押さえるように後面板及び左右側面板に形成された表面押さえ手段とを備え、左右方向付勢手段が、表示器に当接する弾性片部と、外部部品と当接するように弾性片部から延在して折り返した折り返し片とを有し、前記弾性片部と前記折り返し片とによって略Ｕ状に形成されているものである。または、表面押さえ手段が、表示器の表面を押圧する弾性係合爪と、当該弾性係合爪の押圧方向と直交する方向で外部部品と当接するように弾性係合爪の外面に形成された突起部とを有するものである。
【手続補正２】
【補正対象書類名】明細書
【補正対象項目名】０００８
【補正方法】変更
【補正の内容】
【０００８】
この発明によれば、ホルダに載置した表示器を、上記のように固定する構造に構成したので、ホルダに対し質量の重い端子を備えた表示器を確実に固定できる。そして、振動や衝撃を受けても表示器の動きを抑制することができ、表示器の位置ずれによる端子折れの発生を防止することができる。また、弾性を有する付勢手段で表示器を付勢するので、寸法や組付けのバラツキを吸収できる等の効果がある。
【手続補正３】
【補正対象書類名】特許請求の範囲
【補正対象項目名】全文
【補正方法】変更
【補正の内容】
【特許請求の範囲】
【請求項１】
端子を備えた表示器と、前記表示器を組付けるホルダとを備え、
前記表示器は厚みを有する長方形をなし、
前記ホルダは載置された前記表示器を厚み方向に付勢するように底面板に形成された厚み方向付勢手段と、前記表示器を端子側に付勢するように後面板に形成された一方向付勢手段と、前記表示器を左右から付勢するように左右側面板に形成された左右方向付勢手段と、前記表示器の表面を押さえるように前記後面板及び前記左右側面板に形成された表面押さえ手段とを備え、
前記左右方向付勢手段は、前記表示器に当接する弾性片部と、外部部品と当接するように前記弾性片部から延在して折り返した折り返し片とを有し、前記弾性片部と前記折り返し片とによって略Ｕ状に形成されていることを特徴とする表示器固定構造。
【請求項２】
端子を備えた表示器と、前記表示器を組付けるホルダとを備え、
前記表示器は厚みを有する長方形をなし、
前記ホルダは載置された前記表示器を厚み方向に付勢するように底面板に形成された厚み方向付勢手段と、前記表示器を端子側に付勢するように後面板に形成された一方向付勢手段と、前記表示器を左右から付勢するように左右側面板に形成された左右方向付勢手段と、前記表示器の表面を押さえるように前記後面板及び前記左右側面板に形成された表面押さえ手段とを備え、
前記表面押さえ手段は、前記表示器の表面を押圧する弾性係合爪と、当該弾性係合爪の押圧方向と直交する方向で外部部品と当接するように前記弾性係合爪の外面に形成された突起部とを有することを特徴とする表示器固定構造。
【請求項３】
端子を備えた表示器と、前記表示器を組付けるホルダとを備え、
前記表示器は厚みを有する長方形をなし、
前記ホルダは載置された前記表示器を厚み方向に付勢するように底面板に形成された厚み方向付勢手段と、前記表示器を端子側に付勢するように後面板に形成された一方向付勢手段と、前記表示器を左右から付勢するように左右側面板に形成された左右方向付勢手段と、前記表示器の表面を押さえるように前記後面板及び前記左右側面板に形成された表面押さえ手段とを備え、
前記左右方向付勢手段は、前記表示器に当接する弾性片部と、外部部品と当接するように前記弾性片部から延在して折り返した折り返し片とを有し、前記弾性片部と前記折り返し片とによって略Ｕ状に形成されており、
前記表面押さえ手段は、前記表示器の表面を押圧する弾性係合爪と、当該弾性係合爪の押圧方向と直交する方向で外部部品と当接するように前記弾性係合爪の外面に形成された突起部とを有することを特徴とする表示器固定構造。
【国際調査報告】
2010113235.tif 000011
2010113235.tif 000012
2010113235.tif 000013
2010113235.tif 000014